(57)【要約】      （修正有）【課題】異なるガンマ補正回路を一つのＩＣ回路にて簡易な構造で選択可能な液晶モジュールをの提供する。【解決手段】印加電圧の値によって分子の配列を変えて光の透過を変化させる液晶物質を各画素に充填し、上記各画素に光を透過させることで映像を表示する液晶パネルと、映像信号を基に、上記液晶パネルの各画素に上記液晶物質の分子の配列を変えるための駆動電圧を印加する駆動回路７と、上記駆動回路にて生成される駆動電圧に上記液晶パネルのガンマ特性に基づいてガンマ補正を行う液晶モジュールにおいて、上記駆動回路７は、異なるガンマ補正値を有する複数のガンマ補正回路１４，１５を有し、上記駆動回路７に入力される信号電圧に基づいて、ガンマ補正回路選択回路１３により、上記複数のガンマ補正回路１４，１５を切り替える。【選択図】図１
2007183493.tif 000002
【特許請求の範囲】
【請求項１】
印加電圧の値によって分子の配列を変えて光の透過率を変化させる液晶物質を充填した画素をマトリクス状に配置する液晶パネルと、
上記液晶パネルの光源として働くバックライトと、
入力信号に基づいて、上記液晶パネルに表示する一画面単位での映像信号を生成する映像信号処理回路と、電源を供給する電源回路とを実装するプリント基板と、
映像信号を基に、上記液晶パネルの各画素に上記液晶物質の分子の配列を変えるための駆動電圧を印加する駆動回路とを有し、
上記駆動回路にて生成される上記駆動電圧に上記液晶パネルのガンマ特性に基づくガンマ補正を実行する液晶モジュールにおいて、
上記液晶パネルはマトリクス状に配列した上記各画素ごとに、ゲート電極にスイッチ信号としての電圧を印加することにより、ソース電極に印加された駆動電圧をドレイン電極に接続した各画素に出力する電界効果トランジスタを有し、
上記駆動回路は、
上記電界効果トランジスタのソース電極に印加する６４階調のアナログの駆動電圧を上記映像信号処理回路から出力される２５６階調のディジタルの映像信号より生成するソース回路と、
上記映像信号に基づいて上記ゲート電極に印加する上記スイッチ信号を生成し、上記スイッチ信号を上記電界効果トランジスタのゲート電極に各列ごとに印加するゲート回路とを有し、
上記ソース回路は、
上記２５６階調の映像信号を６４階調の駆動電圧に変換する際、上記変換された６４階調の駆動電圧の電圧値にガンマ補正を行う際、第一のガンマ補正回路と、
上記第一のガンマ補正回路と異なるガンマ補正を行う第二のガンマ補正回路と、
上記電源回路からの電圧値がコネクタを介して上記ソース回路に出力されるよう接続すると第一のガンマ補正回路を選択し、また上記電源回路からの電圧値がコネクタを介して上記ソース回路に出力されないよう接続すると第二のガンマ補正回路を選択するガンマ補正回路選択回路とを有することを特徴とする液晶モジュール。
【請求項２】
印加電圧の値によって分子の配列を変えて光の透過を変化させる液晶物質を各画素に充填し、上記各画素に光を透過させることで映像を表示する液晶パネルと、
映像信号を基に、上記液晶パネルの各画素に上記液晶物質の分子の配列を変えるための駆動電圧を印加する駆動回路と、
上記駆動回路にて生成される駆動電圧に上記液晶パネルのガンマ特性に基づいてガンマ補正を行う液晶モジュールにおいて、
上記駆動回路は、異なるガンマ補正値を有する複数のガンマ補正手段を有し、
上記駆動回路に入力される信号電圧に基づいて上記複数のガンマ補正手段を切り替えることを特徴とする液晶モジュール。
【請求項３】
上記液晶パネルは、
同液晶パネルに光を透過する光源としてのバックライトと、
マトリクス状に配列した各画素に上記ゲート電極に印加した電圧をスイッチ信号として、上記ソース電極に印加された電圧をドレイン電極に接続した各画素に出力することで、上記バックライトからの光源の透過率を変化させる電界効果トランジスタを有し、
上記駆動回路は、
上記映像信号に基づいて上記液晶パネルを駆動するための駆動電圧を生成して、上記ソース電極に上記駆動電圧を印加するソース回路と、
上記映像信号に基づいてスイッチ信号を生成し、上記スイッチ信号を上記ゲート電極に各列ごとに順次印加することにより、上記ソース電極に印加した駆動電圧を上記ドレイン電極に接続した各画素に各列ごとに印加するゲート回路とを有し、
上記複数のガンマ補正手段は、上記ソース回路に実装されることを特徴とする請求項２に記載の液晶モジュール。
【請求項４】
上記ソース回路は、
上記映像信号を作成する映像信号処理回路と必要な電源電圧を生成する電源回路とを実装するプリント基板と、コネクタを介して接続し、
上記電源回路から出力される電圧値の値に基づいて、同ソース回路上で上記ガンマ補正手段を切り替えるガンマ補正手段選択手段とを有することを特徴とする請求項２または請求項３のいずれかに記載の液晶モジュール。
【請求項５】
上記ソース回路は、２５６階調のディジタルの映像信号から上記液晶パネルを駆動する６４階調のアナログの駆動電圧を生成し、
上記ガンマ補正手段は上記駆動電圧を生成する際、上記駆動電圧の電圧値にガンマ補正を行うことを特徴とする請求項２〜請求項４に記載の液晶モジュール。
【発明の詳細な説明】
【技術分野】
【０００１】
本発明は、液晶モジュールに関し、特にガンマ補正を行う液晶モジュールに関する。
【背景技術】
【０００２】
映像や文字を表示するのに液晶物質を利用する液晶モジュールは厚みが薄いことによる配置の利便性と、消費電力の少なさから近年さまざまな機器に利用されている。また、コストメリットを考えた際、液晶モジュールに使用する液晶パネルの入手経路を二つに増やすなどして、製造コストを削減するための様々な取り組みが行われている。
【０００３】
ガンマ特性の異なる液晶パネルを同一基板で使用する場合、各液晶パネルの表示特性に対応したガンマ補正が必要となる。従来液晶テレビジョン等に使用される大型の液晶表示装置では本体側のマイコンに設定したソフトにより数種類のガンマ補正値を記録しておき、各液晶パネルごとの表示特性に対応したガンマ補正をレジスタ設定により選択する手法がとられている。
【０００４】
しかしながら、上記したレジスタ設定の機能を有していない液晶モジュールにおいては、ガンマ補正回路を使用する液晶パネルの数に合わせて実装する必要があった。上述した複数のガンマ補正回路を実装する液晶モジュールとして、外付けの可変電源端子から出力される電圧値の変化によってプリント基板内のＩＣ内に実装された複数のガンマ補正回路を選択する方法が知られている（例えば特許文献１）。
【特許文献１】特開平０７−１０７３４０
【発明の開示】
【発明が解決しようとする課題】
【０００５】
上述した特許文献１の発明は、次のような課題があった。つまり、外付けの可変電源端子を使用してガンマ補正回路を選択するためユーザに煩わしい作業を行わせる必要がある。また、ＩＣ回路に複数のガンマ補正回路を実装するためＩＣ回路の複雑化のためＩＣ基板の大型化とコストが高くついてしまい小型の液晶モジュールには不向きであった。
【０００６】
本発明は、上記課題にかんがみてなされたもので、異なるガンマ補正回路を一つのＩＣ回路にて簡易な構造で選択可能な液晶モジュールの提供を目的とする。
【課題を解決するための手段】
【０００７】
上記課題を解決するために、請求項１に記載の発明は、印加電圧の値によって分子の配列を変えて光の透過率を変化させる液晶物質を充填した画素をマトリクス状に配置する液晶パネルと、上記液晶パネルの光源として働くバックライトと、映像信号に基づいて、上記液晶パネルに表示する一画面単位での映像信号を生成する映像信号処理回路と、電源を供給する電源回路とを実装するプリント基板と、映像信号を基に、上記液晶パネルの各画素に上記液晶物質の分子の配列を変えるための駆動電圧を印加する駆動回路とを有し、上記駆動回路にて生成される上記駆動電圧に上記液晶パネルのガンマ特性に基づくガンマ補正を実行する液晶モジュールにおいて、
上記液晶パネルはマトリクス状に配列した上記各画素ごとに、ゲート電極にスイッチ信号としての電圧を印加することにより、ソース電極に印加された駆動電圧をドレイン電極に接続した各画素に出力する電界効果トランジスタを有し、
上記駆動回路は、上記電界効果トランジスタのソース電極に印加する６４階調のアナログの駆動電圧を上記映像信号処理回路から出力される２５６階調のディジタルの映像信号より生成するソース回路と、上記映像信号に基づいて上記ゲート電極に印加する上記スイッチ信号を生成し、上記スイッチ信号を上記電界効果トランジスタのゲート電極に各列ごとに印加するゲート回路とを有し、
上記ソース回路は、上記２５６階調の映像信号を６４階調の駆動電圧に変換する際、上記変換された駆動電圧の電圧値にガンマ補正を行う第一のガンマ補正回路と、上記第一のガンマ補正回路と異なるガンマ補正を行う第二のガンマ補正回路と、上記電源回路からの電圧値がコネクタを介して上記ソース回路に出力されるよう接続すると第一のガンマ補正回路を選択し、また上記電源回路からの電圧値がコネクタを介して上記ソース回路に出力されないよう接続すると第二のガンマ補正回路を選択するガンマ補正回路選択部とを有する構成である。
【０００８】
つまり、請求項１の発明は、液晶パネルと、バックライトと、映像信号処理回路と電源回路とを実装するプリント基板と、駆動回路とを有し、上記駆動回路にて生成される上記駆動電圧に上記液晶パネルのガンマ特性に基づくガンマ補正を実行する液晶モジュールである。
【０００９】
上記した液晶モジュールの液晶パネルは、駆動電圧を上記各画素に印加するのに、ゲート電極にスイッチ信号としての電圧を印加することにより、ソース電極に印加された駆動電圧をドレイン電極に接続した各画素に出力する電界効果トランジスタを有する。
【００１０】
また、上記駆動回路は、上記電界効果トランジスタのソース電極に印加する６４階調のアナログの駆動電圧を上記映像信号処理回路から出力される２５６階調のディジタルの映像信号より生成するソース回路と、上記映像信号に基づいて上記ゲート電極に印加する上記スイッチ信号を生成し、上記スイッチ信号を上記電界効果トランジスタのゲート電極に各列ごとに印加するゲート回路とを有する構成である。
【００１１】
上記ソース回路は、第一のガンマ補正回路と第二のガンマ補正回路とガンマ補正回路選択部とから構成される。上記第一のガンマ補正回路と第二のガンマ補正回路とは、上記２５６階調の映像信号を６４階調の駆動電圧に変換する際、上記変換された駆動電圧の電圧値に異なるガンマ補正を行う。また、上記ガンマ補正回路選択部は、上記プリント基板上で、上記電源回路からの電圧値がコネクタを介して上記ソース回路に出力されるよう接続すると第一のガンマ補正回路を選択し、また上記電源回路からの電圧値がコネクタを介して上記ソース回路に出力されないよう接続すると第二のガンマ補正回路を選択する。
【００１２】
また、請求項２に記載の発明は、印加電圧の値によって分子の配列を変えて光の透過を変化させる液晶物質を各画素に充填し、上記各画素に光を透過させることで映像を表示する液晶パネルと、映像信号を基に、上記液晶パネルの各画素に上記液晶物質の分子の配列を変えるための駆動電圧を印加する駆動回路と、上記駆動回路にて生成される駆動電圧に上記液晶パネルのガンマ特性に基づいてガンマ補正を行う液晶モジュールにおいて、
上記駆動回路は、異なるガンマ補正値を有する複数のガンマ補正手段を有し、上記駆動回路に入力される信号電圧に基づいて上記複数のガンマ補正手段を切り替える。
【００１３】
つまり、液晶パネルと、駆動回路とを有し、上記駆動回路にて生成される駆動電圧に上記液晶パネルのガンマ特性に基づいてガンマ補正を行う液晶モジュールにおいて、  上記駆動回路は、異なるガンマ補正値を有する複数のガンマ補正手段を有し、上記駆動回路に入力される信号電圧に基づいて上記複数のガンマ補正手段を切り替える。
【００１４】
また、請求項３に記載の発明は、請求項２に記載の液晶モジュールであって、上記液晶パネルは、同液晶パネルに光を透過する光源としてのバックライトと、マトリクス状に配列した各画素にゲート電極に印加する電圧を、上記ゲート電極に印加した電圧をスイッチ信号として、上記ソース電極に印加された電圧をドレイン電極に接続した各画素に出力することで、上記バックライトからの光源の透過率を変化させる電界効果トランジスタを有し、
上記駆動回路は、上記映像信号に基づいて上記液晶パネルを駆動するための駆動電圧を生成して、上記ソース電極に上記駆動電圧を印加するソース回路と、上記映像信号に基づいてスイッチ信号を生成し、上記スイッチ信号を上記ゲート電極に各列ごとに順次印加することにより、上記ソース電極に印加した駆動電圧を上記ドレイン電極に接続した各画素に各列ごとに印加するゲート回路とを有し、上記複数のガンマ補正手段は、上記ソース回路に実装される構成である。
【００１５】
つまり、請求項２に記載の液晶モジュールであって、上記液晶パネルは、光源としてのバックライトと、マトリクス状に配列した各画素に上記ゲート電極に印加した電圧をスイッチ信号として、上記ソース電極に印加された電圧をドレイン電極に接続した各画素に出力することで、上記バックライトからの光源の透過率を変化させる電界効果トランジスタを有し、
上記駆動回路は、上記映像信号に基づいて上記液晶パネルを駆動するための駆動電圧を生成して、上記ソース電極に上記駆動電圧を印加するソース回路と、上記映像信号に基づいてスイッチ信号を生成し、上記スイッチ信号を上記ゲート電極に各列ごとに順次印加することにより、上記ソース電極に印加した駆動電圧を上記ドレイン電極に接続した各画素に各列ごとに印加するゲート回路とを有する構成であって、さらに上記複数のガンマ補正手段は、上記ソース回路に実装される構成である。
【００１６】
また、請求項４に記載の発明は、請求項２または請求項３のいずれかに記載の液晶モジュールであって、上記ソース回路は、上記映像信号を作成する映像信号処理回路と必要な電源電圧を生成する電源回路とを実装するプリント基板と、コネクタを介して接続し、上記電源回路から出力される電圧値の値に基づいて、同ソース回路上で上記ガンマ補正手段を切り替えるガンマ補正手段選択手段とを有する構成である。
【００１７】
つまり、請求項２または請求項３のいずれかに記載の液晶モジュールであって、上記ソース回路は、映像信号処理回路と電源回路とを実装するプリント基板と、コネクタを介して接続し、上記電源回路から出力される電圧値の値に基づいて、同ソース回路上で上記ガンマ補正手段を切り替えるガンマ補正手段選択手段とを有する。
【００１８】
また、請求項５に記載の発明は、請求項２〜請求項４に記載の液晶モジュールであって、上記ソース回路は、２５６階調のディジタルの映像信号から上記液晶パネルを駆動する６４階調のアナログの駆動データを生成し、
上記ガンマ補正手段は上記駆動電圧を生成する際、上記駆動電圧の電圧値にガンマ補正を行う構成である。
【００１９】
つまり、請求項２〜請求項４に記載の液晶モジュールであって、上記ソース回路にて、２５６階調のディジタルの映像信号から上記液晶パネルを駆動する６４階調のアナログの駆動データを生成する際、上記ガンマ補正手段は上記駆動電圧の電圧値にガンマ補正を行う。
【発明の効果】
【００２０】
以上説明したように請求項１、および請求項２の発明は、ガンマ補正回路と映像信号処理回路を分けて実装しているので、異なるガンマ特性を有する液晶パネルを同一の映像信号処理回路を実装したプリント基板で使用することができる。
また、請求項１、および請求項３の発明は、駆動回路に複数のガンマ補正回路を有するので、同一の駆動回路で液晶パネルに異なるガンマ補正を行うことができる。
また、請求項１、および請求項４の発明は、簡易な構造で複数のガンマ補正回路を切り替えることができる。
また、請求項１、および請求項５の発明は、簡易な構造でガンマ補正を行うことができる。
【発明を実施するための最良の形態】
【００２１】
以下の項目に従って
ここでは、下記の順序に従って本発明の実施形態について説明する。
（１）液晶モジュールの構成
（２）ソース回路の構成
（３）実施例
（４）まとめ
【００２２】
（１）液晶モジュールの構成
図４は液晶モジュール１０のブロック構成図である。液晶モジュール１０は、液晶パネル１と、バックライト２と、プリント基板３と、駆動回路４とから構成される。
【００２３】
液晶パネル１は、液晶物質が充填された複数画素５で構成されたパネルの背面にガラス基板が配置されている。このガラス基板上には、Ｙ方向に複数配列されそれぞれＸ方向に伸びる走査ラインＧ１〜ＧＮ（Ｎは、２以上の自然数）と、Ｘ方向に複数配列されそれぞれＹ方向に伸びる信号ラインＳ１〜ＳＭ（Ｍは、２以上の自然数）とが配置されている。また、走査ラインＧｎ（１≦ｎ≦Ｎ、ｎは自然数）と信号ラインＳｍ（１≦ｍ≦Ｍ、ｍは自然数）との交差点に対応して、液晶物質が充填された画素５が設けられている。
【００２４】
画素５には電界効果トランジスタ６を有し、同電界効果トランジスタ６のゲート電極６ａは走査ラインＧｎに、ソース電極６ｂとドレイン電極６ｃはソース電極が信号ラインＳｍに接続しドレイン電極６ｃは画素電極５ａと接続している。上記構造において電界効果トランジスタ６は信号ラインＳｍに印加された駆動電圧を画素電極５ａに印加するスイッチとしての役割を果たす。
【００２５】
プリント基板３は、入力信号に基づいて、液晶パネル１に表示する一画面単位での映像信号を生成する映像信号処理回路３ａと、液晶モジュール１０の各構成要素に必要な電源を供給する電源回路３ｂとを実装している。映像信号処理回路３ａや電源回路は、製品として外部機器と接続する際、図示しない制御装置等のホストにより設定された内容に従って、所定の動作を行う。
【００２６】
駆動回路４は、上記電界効果トランジスタのソース電極６ｂに印加する６４階調のアナログの駆動電圧を映像信号処理回路３ａから出力される２５６階調のディジタルの映像信号より生成するソース回路７と、上記映像信号に基づいてゲート電極６ａに印加する上記スイッチ信号を生成し、上記スイッチ信号を電界効果トランジスタ６のゲート電極６ａに各列ごとに印加するゲート回路８とを有する構成である。
【００２７】
ゲート回路８は、映像信号処理回路３ａから映像信号を受けて、スイッチ信号を生成する。上記生成されたスイッチ信号は、映像信号処理回路３ａから出力される同期信号に同期して走査ラインＧｎのＧ１〜Ｇｎに出力される。
【００２８】
ソース回路７は、映像信号処理回路３ａから映像信号を受けて、上記映像信号を基にアナログの駆動電圧を生成する。上記生成された駆動電圧は、映像信号処理回路３ａから出力された同期信号に同期して信号ラインＳｍのＳ１〜ＳＭに出力される。
【００２９】
ソース回路７は上記駆動電圧を生成する際、液晶パネル１のガンマ特性に基いて駆動電圧の電圧値にガンマ補正を行う。また、本発明の一実施形態である液晶モジュール１０はプリント基板３とソース回路７の回路構成を工夫することで、異なるガンマ特性を有する液晶パネルを同一のプリント基板３にて組み合わせることを可能とした。
【００３０】
（２）ソース回路の構成
【００３１】
図１は本発明の一実施形態であるソース回路のブロック構成図である。ソース回路７は、レジスタ回路１１と、ラッチ回路１２と、信号ライン駆動回路１６と、第一のガンマ補正回路１４と第二のガンマ補正回路１５とガンマ補正回路選択回路１３とから構成されている。上記構成のソース回路７は、プリント基板３の電源回路３ｂとコネクタ１７を介して接続している。
【００３２】
同図より、レジスタ回路１１は、映像信号処理回路３ａから出力されるディジタルの２５６階調の映像信号を記録して、ディジタルの６４階調の映像信号に変換した後、ラッチ回路１２に上記変換された映像信号を出力する。
【００３３】
ラッチ回路１２は、レジスタ回路１１から出力された映像信号を映像信号処理回路３ａから出力されたクロック信号に同期してラッチし、上記ラッチした映像信号をガンマ補正回路選択回路１３に出力する。この時、映像信号処理回路３ａは同期信号をラッチ回路１２に出力する。
【００３４】
第一のガンマ補正回路１４と第二のガンマ補正回路は、６４階調のディジタルの映像信号をディジタル／アナログ変換して上記映像信号の各階調に対応する駆動電圧を生成する。第一のガンマ補正回路１４と第二のガンマ補正回路１５は、上記映像信号の各階調に対応して生成する駆動電圧の値が異なっており、このため第一のガンマ補正回路１４と第二のガンマ補正回路１５によりガンマ補正を行った液晶パネル１はバックライト２からの光源の透過率が変化する。
【００３５】
信号ライン駆動回路１６は、第一のガンマ補正回路１４と第二のガンマ補正回路１５によって生成された駆動電圧を信号ラインＳｍに映像信号処理回路３ａから出力された同期信号に基づいて印加する。
【００３６】
ガンマ補正回路選択回路１３は、入力される電圧値に基づいて第一のガンマ補正回路１４と第二のガンマ補正回路１５とを選択する。具体的には、ガンマ補正回路選択回路１３はコネクタ１７を介してプリント基板３の電源回路３ｂとＧＮＤ１８とに抵抗を介して並列に接続しており、上記電源回路３ｂから選択信号として３、３ボルトの電圧がガンマ補正回路選択回路１３に出力されると第一のガンマ補正回路を選択し、上記選択信号が出力されないと第二のガンマ補正回路１５を出力する。
【００３７】
図１より、電源回路３ｂとＧＮＤ１８とに抵抗Ｒ１、Ｒ２を介して接続したコネクタ１７の入出力端子１７ａは、ソース回路７内にて、ガンマ補正回路選択回路１３と接続している。プリント基板３にて電源回路３ｂと抵抗Ｒ１を０Ｖにし、抵抗Ｒ２をオープンになるよう入出力端子１７ａに接続すると電源回路３ｂから３、３ボルトの電圧が出力される。また、抵抗Ｒ１をオープンにし抵抗Ｒ２を０ボルトになるよう入出力端子１７ａに接続すると電源回路３ｂから出力される電圧は遮断され、ガンマ補正回路選択回路１３にはＧＮＤ１８からの０Ｖが出力される。ガンマ補正回路選択回路１３は、入力された電圧値の値によって出力先を切り替えるスイッチ回路を有し、プリント基板３から出力される電圧値に基づいて、ラッチ回路１２から出力される信号の出力先を第一のガンマ補正回路１４と第二のガンマ補正回路１５のいずれかに切り替える。
【００３８】
上記構造により、ガンマ補正回路をプリント基板３上に有すことなく、プリント基板３をコネクタ１７に差し替えるだけで、同一のプリント基板３で、ガンマ特性が異なる液晶パネル１を複数使用することが可能となる。 
【００３９】
（３）実施例
上記構成のソース回路７において、レジスタ回路１１に映像信号処理回路３ａから映像信号が入力されると、まず、レジスタ回路１１は２５６階調の映像信号を６４階調の映像信号に変換した後、クロック信号に同期してラッチ回路１２に映像信号をラッチしていく。
【００４０】
次に、プリント基板３内にて電源回路３ｂを抵抗Ｒ１を０ボルトに、ＧＮＤ１８を抵抗Ｒ２をオープンにしコネクタ１７の入出力端子１７ａに接続すると、ガンマ補正回路選択回路１３には３、３ボルトの電圧が出力される。これにより、ガンマ補正回路選択回路１３は第一のガンマ補正回路１４を選択する。次に、ガンマ補正回路選択回路１３によって選択された第一のガンマ補正回路１４は、ガンマ補正回路選択回路１３を介して、ラッチ回路１２からディジタルの６４階調の映像信号を入力される。
【００４１】
第一のガンマ補正回路１４は、入力されたディジタルの映像信号の各階調に対応する６４階調のアナログの駆動電圧を生成する。図２は、第一のガンマ補正回路１４に入力されるディジタルの６４階調の映像信号と同第一のガンマ補正回路が生成するアナログの６４階調の駆動電圧の入力出力対応関係図である。同図よりＸ軸に入力したディジタルの映像信号を、Ｙ軸に第一のガンマ補正回路１４が出力する駆動電圧の値を対応させている。第一のガンマ補正回路１４は、図２に対応した駆動電圧を生成することで液晶モジュール１０のガンマ補正を行う。
【００４２】
図３は、第二のガンマ補正回路１５にて入力されるディジタルの６４階調の映像信号と同第二のガンマ補正回路１５に出力される６４階調の駆動電圧の入出力対応関係図である。同図より、図２と比較して６４階調のディジタルの映像信号に対応する電圧値の値が異なっている。本発明の一実施形態である第一のガンマ補正回路１４と第二のガンマ補正回路１５は内部に抵抗式のディジタル／アナログ変換回路を有し、ディジタル／アナログ変換回路の内部抵抗の値の違いで出力する駆動電圧の値を変化させている。第一のガンマ補正回路と第二のガンマ補正回路は、ガンマ値の異なるガンマ補正を行えばよいので上述した抵抗型のディジタル／アナログ変換回路を有するものに限らず、コンデンサー型のアナログ／ディジタル変換回路を有するものであってもよい。
【００４３】
信号ラインＳｍは入力された駆動電圧を信号処理回路から入力された同期信号に同期して各駆動ラインに順次印加することにより液晶パネル１の各画素５に対応する電界効果トランジスタ６のソース電極に駆動電圧を印加していく。第一のガンマ補正回路１４と第二のガンマ補正回路１５により駆動電圧は、ディジタルの映像信号に対して液晶パネル１の駆動が線形的に対応するよう補正される。
【００４４】
（３）まとめ
印加電圧の値によって分子の配列を変えて光の透過を変化させる液晶物質を各画素に充填し、上記各画素に光を透過させることで映像を表示する液晶パネルと、映像信号を基に、上記液晶パネルの各画素に上記液晶物質の分子の配列を変えるための駆動電圧を印加する駆動回路と、上記駆動回路にて生成される駆動電圧に上記液晶パネルのガンマ特性に基づいてガンマ補正を行う液晶モジュールにおいて、上記駆動回路は、異なるガンマ補正値を有する複数のガンマ補正手段を有し、上記駆動回路に入力される信号電圧に基づいて上記複数のガンマ補正手段を切り替える。
【００４５】
請求項３の発明は、請求項２に記載の液晶モジュールであって、上記液晶パネルは、同液晶パネルに光を透過する光源としてのバックライトと、マトリクス状に配列した各画素に上記ゲート電極に印加した電圧をスイッチ信号として、上記ソース電極に印加された電圧をドレイン電極に接続した各画素に出力することで、上記バックライトからの光源の透過率を変化させる電界効果トランジスタを有し、
上記駆動回路は、上記映像信号に基づいて上記液晶パネルを駆動するための駆動電圧を生成して、上記ソース電極に上記駆動電圧を印加するソース回路と、上記映像信号に基づいてスイッチ信号を生成し、上記スイッチ信号を上記ゲート電極に各列ごとに順次印加することにより、上記ソース電極に印加した駆動電圧を上記ドレイン電極に接続した各画素に各列ごとに印加するゲート回路とを有し、
上記複数のガンマ補正手段は、上記ソース回路に実装される構成である。
【００４６】
つまり、請求項２に記載の液晶モジュールであって、上記液晶パネルは、バックライトと、電界効果トランジスタを有する構成であって、
上記駆動回路は、上記映像信号に基づいて上記液晶パネルを駆動するための駆動電圧を生成して、上記ソース電極に上記駆動電圧を印加するソース回路と、上記映像信号に基づいてスイッチ信号を生成し、上記スイッチ信号を上記ゲート電極に各列ごとに順次印加することにより、上記ソース電極に印加した駆動電圧を上記ドレイン電極に接続した各画素に各列ごとに印加するゲート回路とを有し、
駆動回路に複数のガンマ補正手段を実装するので、同一の駆動回路で液晶パネルに異なるガンマ補正を行うことができる。
【００４７】
請求項４の発明は、請求項２または請求項３のいずれかに記載の液晶モジュールであって、上記ソース回路は、上記映像信号を作成する映像信号処理回路と必要な電源電圧を生成する電源回路とを実装するプリント基板と、コネクタを介して接続し、上記電源回路から出力される電圧値の値に基づいて、同ソース回路上で上記ガンマ補正手段を切り替えるガンマ補正手段選択手段とを有する構成である。
【００４８】
つまり、請求項２または請求項３のいずれかに記載の液晶モジュールであって、上記ソース回路は、上記映像信号を作成する映像信号処理回路と必要な電源電圧を生成する電源回路とを実装するプリント基板と、コネクタを介して接続し、上記電源回路から出力される電圧値の値に基づいて、同ソース回路上で上記ガンマ補正手段を切り替えるガンマ補正手段選択手段とを有するので、簡易な構造で複数のガンマ補正回路を切り替えることができる。
【００４９】
請求項５の発明は、請求項２〜請求項４に記載の液晶モジュールであって、上記ソース回路は、２５６階調のディジタルの映像信号から上記液晶パネルを駆動する６４階調のアナログの駆動電圧を生成し、上記ガンマ補正手段は上記駆動電圧を生成する際、上記駆動電圧の電圧値にガンマ補正を行う構成である。
【００５０】
つまり、請求項２〜請求項４に記載の液晶モジュールであって、上記ソース回路にて、２５６階調のディジタルの映像信号から上記液晶パネルを駆動する６４階調のアナログの駆動電圧を生成する際、上記ガンマ補正手段は上記駆動電圧の電圧値にガンマ補正を行うので、簡易な構造でガンマ補正を行うことができる。
【００５１】
なお、本発明は上記実施例に限られるものでないことは言うまでもない。当業者であれば言うまでもないことであるが、 
・上記実施例の中で開示した相互に置換可能な部材および構成等を適宜その組み合わせを変更して適用すること 
・上記実施例の中で開示されていないが、公知技術であって上記実施例の中で開示した部材および構成等と相互に置換可能な部材および構成等を適宜置換し、またその組み合わせを変更して適用すること 
・上記実施例の中で開示されていないが、公知技術等に基づいて当業者が上記実施例の中で開示した部材および構成等の代用として想定し得る部材および構成等と適宜置換し、またその組み合わせを変更して適用すること 
は本発明の一実施例として開示されるものである。 
【図面の簡単な説明】
【００５２】
【図１】ソース回路と信号処理回路のブロック構成図である。
【図２】第一のガンマ補正回路でのディジタルの６４階調の映像信号と６４階調の駆動電圧の入出力対応関係図である。
【図３】第二のガンマ補正回路でのディジタルの６４階調の映像信号と６４階調の駆動電圧の入出力対応関係図である。
【図４】従来の液晶モジュールのブロック構成図である。
【符号の説明】
【００５３】
１０…液晶モジュール
１１…レジスタ回路
１２…ラッチ回路
１３…ガンマ補正回路選択回路
１４…第一のガンマ補正回路
１５…第二のガンマ補正回路
１６…信号ライン駆動回路
１７…コネクタ
１７ａ…入出力端子
１８…ＧＮＤ
【図１】
2007183493.tif 000003
【図２】
2007183493.tif 000004
【図３】
2007183493.tif 000005
【図４】
2007183493.tif 000006